(57)【要約】【課題】アナログ回線を利用したファクシミリ装置と同様に電話番号を用いてＳＩＰプロトコルを使用したリアルタイム性のある画データの通信が可能なファクシミリ通信仲介装置、システム、方法およびプログラムを得る。【解決手段】送信側のファクシミリ装置２１は、通信が異常となった場合に再度送信を行う。この機能を利用して、ファクシミリ通信仲介装置２２は、送信側ファクシミリ装置２１が同一の宛先に行う１回目の送信で、通信相手の電話番号と送信側のファクシミリ装置２１のＩＰアドレスを取得する。ファクシミリ通信仲介装置２２は、このデータを用いて２回目以降の正常な通信時に受信側のファクシミリ装置２３に接続する。【選択図】図２
2010268303.tif 000002
【特許請求の範囲】
【請求項１】
インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信手段と、
この接続要求受信手段がファクシミリ通信のための接続要求を受信したとき通信相手の電話番号と前記送信側のファクシミリ装置のＩＰアドレスを取得する接続要求受信時データ取得手段と、
この接続要求受信時データ取得手段が取得した前記電話番号およびＩＰアドレスを接続要求の受信のたびに記憶する受信データ記憶手段と、
前記接続要求受信時データ取得手段の取得した前記電話番号およびＩＰアドレスを前記受信データ記憶手段に前回記憶した前記電話番号およびＩＰアドレスと比較することで同一の送信側のファクシミリ装置が同一の電話番号の受信側のファクシミリ装置に再接続を要求しているか否かを判別する再接続有無判別手段と、
この再接続有無判別手段が前記同一の送信側のファクシミリ装置が同一の電話番号の受信側のファクシミリ装置に再接続を要求していないと判別したとき前記送信側のファクシミリ装置との接続を切断する初回接続切断手段と、
前記再接続有無判別手段が前記同一の送信側のファクシミリ装置が同一の電話番号の受信側のファクシミリ装置に再接続を要求していると判別したとき前記ＩＰ伝送路に接続され前記電話番号を有する受信側のファクシミリ装置への接続が可能であるかを判別する受信可否判別手段と、
この受信可否判別手段が前記受信側のファクシミリ装置への接続が可能であると判別したとき前記送信側のファクシミリ装置に前記ＩＰ伝送路を使用した前記受信側のファクシミリ装置への通信処理を継続させる通信処理継続通知手段
とを具備することを特徴とするファクシミリ通信仲介装置。
【請求項２】
前記受信可否判別手段が前記受信側のファクシミリ装置への接続が可能でないと判別したとき前記送信側のファクシミリ装置との接続を切断する次回以降接続切断手段を更に具備することを特徴とする請求項１記載のファクシミリ通信仲介装置。
【請求項３】
前記再接続有無判別手段が前記同一の送信側のファクシミリ装置が異なった電話番号の受信側のファクシミリ装置に再接続を要求していると判別したとき前記受信データ記憶手段に記憶されているこれ以前に取得した前記電話番号およびＩＰアドレスの対を前記受信データ記憶手段から消去する消去手段を更に具備することを特徴とする請求項１記載のファクシミリ通信仲介装置。
【請求項４】
前記経由先送信手段は、ＳＩＰ（Session Initiation Protocol）サーバを介してＳＩＰプロトコルを用いた通信を行うことを特徴とする請求項３記載のファクシミリ通信仲介装置。
【請求項５】
インターネットプロトコルを用いて通信を行うＩＰ伝送路に接続され、通信に異常が発生したときにファクシミリ通信のための接続要求を繰り返す送信側のファクシミリ装置と、
この送信側のファクシミリ装置から接続要求を受信する接続要求受信手段と、この接続要求受信手段がファクシミリ通信のための接続要求を受信したとき通信相手の電話番号と前記送信側のファクシミリ装置のＩＰアドレスを取得する接続要求受信時データ取得手段と、この接続要求受信時データ取得手段が取得した前記電話番号およびＩＰアドレスを接続要求の受信のたびに記憶する受信データ記憶手段と、前記接続要求受信時データ取得手段の取得した前記電話番号およびＩＰアドレスを前記受信データ記憶手段に前回記憶した前記電話番号およびＩＰアドレスと比較することで同一の送信側のファクシミリ装置が同一の電話番号の前記通信相手のファクシミリ装置に再接続を要求しているか否かを判別する再接続有無判別手段と、この再接続有無判別手段が前記同一の送信側のファクシミリ装置が同一の電話番号の受信側のファクシミリ装置に再接続を要求していないと判別したとき前記送信側のファクシミリ装置との接続を切断する初回接続切断手段と、前記再接続有無判別手段が前記同一の送信側のファクシミリ装置が同一の電話番号の受信側のファクシミリ装置に再接続を要求していると判別したとき前記ＩＰ伝送路に接続され前記電話番号を有する前記通信相手のファクシミリ装置への接続が可能であるかを判別する受信可否判別手段と、この受信可否判別手段が前記相手先のファクシミリ装置への接続が可能であると判別したとき前記送信側のファクシミリ装置に前記ＩＰ伝送路を使用した前記通信相手のファクシミリ装置への通信処理を継続させる通信処理継続通知手段とを備えたファクシミリ通信仲介装置と、
前記通信相手のファクシミリ装置として前記インターネットプロトコルを用いて通信を行うＩＰ伝送路に接続され前記ファクシミリ通信仲介装置を経由した通信を受信する受信側のファクシミリ装置
とを具備することを特徴とするファクシミリ通信システム。
【請求項６】
インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信ステップと、
この接続要求受信ステップでファクシミリ通信のための接続要求を受信したとき通信相手の電話番号と前記送信側のファクシミリ装置のＩＰアドレスを取得する接続要求受信時データ取得ステップと、
この接続要求受信時データ取得ステップで取得した前記電話番号およびＩＰアドレスを接続要求の受信のたびに記憶する受信データ記憶ステップと、
前記接続要求受信時データ取得ステップで取得した前記電話番号およびＩＰアドレスを前記受信データ記憶ステップで前回記憶した前記電話番号およびＩＰアドレスと比較することで同一の送信側のファクシミリ装置が同一の電話番号の受信側のファクシミリ装置に再接続を要求しているか否かを判別する再接続有無判別ステップと、
この再接続有無判別ステップで前記同一の送信側のファクシミリ装置が同一の電話番号の受信側のファクシミリ装置に再接続を要求していないと判別したとき前記送信側のファクシミリ装置との接続を切断する初回接続切断ステップと、
前記再接続有無判別ステップで前記同一の送信側のファクシミリ装置が同一の電話番号の受信側のファクシミリ装置に再接続を要求していると判別したとき前記ＩＰ伝送路に接続され前記電話番号を有する受信側のファクシミリ装置への接続が可能であるかを判別する受信可否判別ステップと、
この受信可否判別ステップで前記受信側のファクシミリ装置への接続が可能であると判別したとき前記送信側のファクシミリ装置に前記ＩＰ伝送路を使用した前記受信側のファクシミリ装置への通信処理を継続させる通信処理継続通知ステップ
とを具備することを特徴とするファクシミリ通信仲介方法。
【請求項７】
コンピュータに、
インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信処理と、
この接続要求受信処理でファクシミリ通信のための接続要求を受信したとき通信相手の電話番号と前記送信側のファクシミリ装置のＩＰアドレスを取得する接続要求受信時データ取得処理と、
この接続要求受信時データ取得処理で取得した前記電話番号およびＩＰアドレスを接続要求の受信のたびに記憶する受信データ記憶処理と、
前記接続要求受信時データ取得処理で取得した前記電話番号およびＩＰアドレスを前記受信データ記憶処理で前回記憶した前記電話番号およびＩＰアドレスと比較することで同一の送信側のファクシミリ装置が同一の電話番号の受信側のファクシミリ装置に再接続を要求しているか否かを判別する再接続有無判別処理と、
この再接続有無判別処理で前記同一の送信側のファクシミリ装置が同一の電話番号の受信側のファクシミリ装置に再接続を要求していないと判別したとき前記送信側のファクシミリ装置との接続を切断する初回接続切断処理と、
前記再接続有無判別処理で前記同一の送信側のファクシミリ装置が同一の電話番号の受信側のファクシミリ装置に再接続を要求していると判別したとき前記ＩＰ伝送路に接続され前記電話番号を有する受信側のファクシミリ装置への接続が可能であるかを判別する受信可否判別処理と、
この受信可否判別処理で前記受信側のファクシミリ装置への接続が可能であると判別したとき前記送信側のファクシミリ装置に前記ＩＰ伝送路を使用した前記受信側のファクシミリ装置への通信処理を継続させる通信処理継続通知処理
とを実行させることを特徴とするファクシミリ通信仲介プログラム。
【発明の詳細な説明】
【技術分野】
【０００１】
本発明は、ファクシミリ通信に使用するファクシミリ通信仲介装置、ファクシミリ通信システム、ファクシミリ通信仲介方法およびファクシミリ通信仲介プログラムに関する。特に本発明は、インターネットプロトコルを用いて通信を行う場合に好適なファクシミリ通信仲介装置、ファクシミリ通信システム、ファクシミリ通信仲介方法およびファクシミリ通信仲介プログラムに関する。
【背景技術】
【０００２】
ファクシミリ装置は、事業所や個人宅における画データの通信手段として広く普及している。このようなファクシミリ装置は、従来、音声を送受信する電話網を利用してファクシミリ信号を伝送していた。すなわち、従来のファクシミリ装置では、画データを音声の伝送に使用するアナログデータに変換して送信を行うようになっていた。
【０００３】
近時、インターネットを用いた通信技術が急速に普及してきており、電話網もこれに伴ってデジタル化の方向にある。このような状況で、電話機同士の通話はＳＩＰ（Session Initiation Protocol）による接続に切り替わることで、インターネットを利用した通信形態に変化している。
【０００４】
この一方で、ファクシミリ装置の方は、電子メールの送信方法を使用するファクシミリ装置としての方向を見せている。インターネットを利用したこのようなファクシミリ装置は、ＴＣＰ／ＩＰ（Transmission Control Protocol/Internet Protocol）におけるＳＭＴＰ（Simple Mail Transfer Protocol）プロトコルを用いて通信を行う。すなわちファクシミリ装置を用いたファクシミリ通信では、電子メールの通信と同様にメールサーバを経由する形で画データが伝達される。このため、通信にリアルタイム性がなく、ファクシミリ信号の送信時にエラーが生じたとしてもこれを検出することができないという問題がある。そこで、メールサーバを経由せず、ダイレクトにファクシミリ装置の間で画データの通信を行うことが望まれている。
【０００５】
そこで、ＳＩＰプロトコル（Session Initiation Protocol）による接続に切り替わった電話網に対して、ファクシミリ装置も同様に接続できるようにすることが本発明の関連技術として検討されている（たとえば特許文献１参照）。ここでＳＩＰプロトコルとは、ＶＯＩＰ（Voice over Internet Protocol）通話を確立、変更ならびに終了するためのＩＰ（Internet Protocol）信号プロトコルである。これにより、ＬＡＮ（Local Area Network）やインターネットを利用したファクシミリ通信が可能になる。
【０００６】
図９は、この関連技術の概要を表わしたものである。この関連技術のファクシミリ通信システム１００は、ＬＡＮ（Local Area Network）１０１と、このＬＡＮ１０１に接続されたＳＩＰサーバ１０２および第１〜第Ｍのファクシミリ端末１０３1〜１０３Mで構成されている。第１のファクシミリ端末１０３1は、ネットワーク機能付ファクシミリ装置１０４1と、ＳＩＰアダプタ装置１０５1を備えている。ネットワーク機能付ファクシミリ装置１０４1とＳＩＰアダプタ装置１０５1は、ＬＡＮ１０１を通じて接続されている。他のファクシミリ端末１０３の構成も同様である。
【０００７】
それぞれのＳＩＰアダプタ装置１０５1、……、１０５Mは、ピアツーピア（peer to peer）通信用のＩＰ電話番号とみなし音声通信用のＩＰ電話番号を格納している。
【０００８】
第１のファクシミリ端末１０３1内のネットワーク機能付ファクシミリ装置１０４1が第Ｍのファクシミリ端末１０３M内のネットワーク機能付ファクシミリ装置１０４2に画情報を送信するものとする。この場合、送信側の第１のファクシミリ端末１０３1は、受信側の第Ｍのファクシミリ端末１０３MのＩＰ電話番号を入力する。このＩＰ電話番号は、ＬＡＮ１０１を通じて送信側のＳＩＰアダプタ装置１０５1へ通知される。
【０００９】
送信側のＳＩＰアダプタ装置１０５1は、受信側の第Ｍのファクシミリ端末１０３M用のＩＰ電話番号をＬＡＮ１０１に送出する。このＩＰ電話番号はＳＩＰサーバ１０２で受信される。
【００１０】
ＳＩＰサーバ１０２は、第Ｍのファクシミリ端末１０３Mを宛先とするＩＰ電話番号を抽出して第Ｍのファクシミリ端末１０３MのＳＩＰアダプタ装置１０５Mに接続を要求する。ＳＩＰアダプタ装置１０５Mがこの接続を受け入れると、送信側のＳＩＰアダプタ装置１０５1と受信側のＳＩＰアダプタ装置１０５Mの間でセッションが確立する。これにより、送信側のＳＩＰアダプタ装置１０５1および受信側のＳＩＰアダプタ装置１０５M相互のダイレクトＳＭＴＰ通信が可能になる。
【００１１】
そこで、これらのＳＩＰアダプタ装置１０５1、１０５MはダイレクトＳＭＴＰ通信に際し、対となるネットワーク機能付ファクシミリ装置１０４1、１０４MのＩＰアドレスの交換を行う。これらのネットワーク機能付ファクシミリ装置１０４1、１０４Mは、互いのＩＰアドレスを受け取ると、これらのＩＰアドレスを利用してピアツーピア通信を開始する。これによりネットワーク機能付ファクシミリ装置１０４1、１０４Mの間で直接、画データの伝送が行われる。
【００１２】
画データの伝送が終了すると、送信側のネットワーク機能付ファクシミリ装置１０４1が送信の終了を送信側のＳＩＰアダプタ装置１０５1に通知する。送信側のＳＩＰアダプタ装置１０５1は送信終了の通知を受け付けると受信側のＳＩＰアダプタ装置１０５Mとの通信終了手順に移行することになる。
【００１３】
このように本発明の関連技術によれば、ＳＩＰアダプタ装置１０５1〜１０５Mのうちの送受信の対象となる一対のネットワーク機能付ファクシミリ装置１０４が、互いにＩＰアドレスの交換を行う。これにより、これら一対のネットワーク機能付ファクシミリ装置１０４はその後、ピアツーピア通信で画データの伝送を行うことができる。このため、メールサーバにファクシミリ信号を一旦蓄積して相手装置に送信する手法のファクシミリ通信システムと異なり、画データの通信に関してリアルタイム性を確保することができる。
【先行技術文献】
【特許文献】
【００１４】
【特許文献１】特開２００８−０７９１７３号公報（請求項６、図２）
【発明の概要】
【発明が解決しようとする課題】
【００１５】
しかしながら、この関連技術では、ＳＩＰサーバ１０２が第１〜第Ｍのファクシミリ端末１０３1〜１０３MのＩＰ電話番号の一覧を保持している必要がある。このため、ＳＩＰサーバ１０２は、ネットワーク機能付ファクシミリ装置１０４のＩＰ電話番号に関する最新情報を常に把握して保持する必要がある。また、ＳＩＰサーバ１０２はファクシミリ通信の対象となるＳＩＰアダプタ装置１０５の接続処理に関与するので、この点でも負荷が高くなるという問題もある。
【００１６】
なお、本発明の他の関連技術としてＳＩＰサーバ１０２をメールサーバに見立てる提案もある。しかしながら、ＳＩＰサーバ１０２をメールサーバに見立ててこれに画データを一旦蓄積して通信するのでは、通信のリアルタイム性がなくなる。また、エラー検出もできないという前記した問題を発生させることになる。
【００１７】
そこで本発明の目的は、アナログ回線を利用したファクシミリ装置と同様に電話番号を用いてＳＩＰプロトコルを使用したリアルタイム性のある画データの通信が可能なファクシミリ通信仲介装置、ファクシミリ通信システム、ファクシミリ通信仲介方法およびファクシミリ通信仲介プログラムを提供することにある。
【課題を解決するための手段】
【００１８】
本発明では、（イ）インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信手段と、（ロ）この接続要求受信手段がファクシミリ通信のための接続要求を受信したとき通信相手の電話番号と前記した送信側のファクシミリ装置のＩＰアドレスを取得する接続要求受信時データ取得手段と、（ハ）この接続要求受信時データ取得手段が取得した前記した電話番号およびＩＰアドレスを接続要求の受信のたびに記憶する受信データ記憶手段と、（ニ）前記した接続要求受信時データ取得手段の取得した前記した電話番号およびＩＰアドレスを前記した受信データ記憶手段に前回記憶した前記した電話番号およびＩＰアドレスと比較することで同一の送信側のファクシミリ装置が同一の電話番号の受信側のファクシミリ装置に再接続を要求しているか否かを判別する再接続有無判別手段と、（ホ）この再接続有無判別手段が前記した同一の送信側のファクシミリ装置が同一の電話番号の受信側のファクシミリ装置に再接続を要求していないと判別したとき前記した送信側のファクシミリ装置との接続を切断する初回接続切断手段と、（へ）前記した再接続有無判別手段が前記した同一の送信側のファクシミリ装置が同一の電話番号の受信側のファクシミリ装置に再接続を要求していると判別したとき前記したＩＰ伝送路に接続され前記した電話番号を有する受信側のファクシミリ装置への接続が可能であるかを判別する受信可否判別手段と、（ト）この受信可否判別手段が前記した受信側のファクシミリ装置への接続が可能であると判別したとき前記した送信側のファクシミリ装置に前記したＩＰ伝送路を使用した前記した受信側のファクシミリ装置への通信処理を継続させる通信処理継続通知手段とをファクシミリ通信仲介装置が具備する。
【００１９】
また、本発明では、（イ）インターネットプロトコルを用いて通信を行うＩＰ伝送路に接続され、通信に異常が発生したときにファクシミリ通信のための接続要求を繰り返す送信側のファクシミリ装置と、（ロ）この送信側のファクシミリ装置から接続要求を受信する接続要求受信手段と、この接続要求受信手段がファクシミリ通信のための接続要求を受信したとき通信相手の電話番号と前記した送信側のファクシミリ装置のＩＰアドレスを取得する接続要求受信時データ取得手段と、この接続要求受信時データ取得手段が取得した前記した電話番号およびＩＰアドレスを接続要求の受信のたびに記憶する受信データ記憶手段と、前記した接続要求受信時データ取得手段の取得した前記した電話番号およびＩＰアドレスを前記した受信データ記憶手段に前回記憶した前記した電話番号およびＩＰアドレスと比較することで同一の送信側のファクシミリ装置が同一の電話番号の前記した通信相手のファクシミリ装置に再接続を要求しているか否かを判別する再接続有無判別手段と、この再接続有無判別手段が前記した同一の送信側のファクシミリ装置が同一の電話番号の受信側のファクシミリ装置に再接続を要求していないと判別したとき前記した送信側のファクシミリ装置との接続を切断する初回接続切断手段と、前記した再接続有無判別手段が前記した同一の送信側のファクシミリ装置が同一の電話番号の受信側のファクシミリ装置に再接続を要求していると判別したとき前記したＩＰ伝送路に接続され前記した電話番号を有する前記した通信相手のファクシミリ装置への接続が可能であるかを判別する受信可否判別手段と、この受信可否判別手段が前記した相手先のファクシミリ装置への接続が可能であると判別したとき前記した送信側のファクシミリ装置に前記したＩＰ伝送路を使用した前記した通信相手のファクシミリ装置への通信処理を継続させる通信処理継続通知手段とを備えたファクシミリ通信仲介装置と、（ハ）前記した通信相手のファクシミリ装置として前記したインターネットプロトコルを用いて通信を行うＩＰ伝送路に接続され前記したファクシミリ通信仲介装置を経由した通信を受信する受信側のファクシミリ装置とをファクシミリ通信システムが具備する。
【００２０】
更に本発明では、（イ）インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信ステップと、（ロ）この接続要求受信ステップでファクシミリ通信のための接続要求を受信したとき通信相手の電話番号と前記した送信側のファクシミリ装置のＩＰアドレスを取得する接続要求受信時データ取得ステップと、（ハ）この接続要求受信時データ取得ステップで取得した前記した電話番号およびＩＰアドレスを接続要求の受信のたびに記憶する受信データ記憶ステップと、（ニ）前記した接続要求受信時データ取得ステップで取得した前記した電話番号およびＩＰアドレスを前記した受信データ記憶ステップで前回記憶した前記した電話番号およびＩＰアドレスと比較することで同一の送信側のファクシミリ装置が同一の電話番号の受信側のファクシミリ装置に再接続を要求しているか否かを判別する再接続有無判別ステップと、（ホ）この再接続有無判別ステップで前記した同一の送信側のファクシミリ装置が同一の電話番号の受信側のファクシミリ装置に再接続を要求していないと判別したとき前記した送信側のファクシミリ装置との接続を切断する初回接続切断ステップと、（へ）前記した再接続有無判別ステップで前記した同一の送信側のファクシミリ装置が同一の電話番号の受信側のファクシミリ装置に再接続を要求していると判別したとき前記したＩＰ伝送路に接続され前記した電話番号を有する受信側のファクシミリ装置への接続が可能であるかを判別する受信可否判別ステップと、（ト）この受信可否判別ステップで前記した受信側のファクシミリ装置への接続が可能であると判別したとき前記した送信側のファクシミリ装置に前記したＩＰ伝送路を使用した前記した受信側のファクシミリ装置への通信処理を継続させる通信処理継続通知ステップとをファクシミリ通信仲介方法が具備する。
【００２１】
更にまた、本発明では、コンピュータに、ファクシミリ通信仲介プログラムとして、（イ）インターネットプロトコルを用いて通信を行うＩＰ伝送路に接続され、通信に異常が発生したときにファクシミリ通信のための接続要求を繰り返す送信側のファクシミリ装置から接続要求を受信する接続要求受信処理と、（ロ）この接続要求受信処理でファクシミリ通信のための接続要求を受信したとき通信相手の電話番号と前記した送信側のファクシミリ装置のＩＰアドレスを取得する接続要求受信時データ取得処理と、（ハ）この接続要求受信時データ取得処理で取得した前記した電話番号およびＩＰアドレスを接続要求の受信のたびに記憶する受信データ記憶処理と、（ニ）前記した接続要求受信時データ取得処理で取得した前記した電話番号およびＩＰアドレスを前記した受信データ記憶処理で前回記憶した前記した電話番号およびＩＰアドレスと比較することで同一の送信側のファクシミリ装置が同一の電話番号の受信側のファクシミリ装置に再接続を要求しているか否かを判別する再接続有無判別処理と、（ホ）この再接続有無判別処理で前記した同一の送信側のファクシミリ装置が同一の電話番号の受信側のファクシミリ装置に再接続を要求していないと判別したとき前記した送信側のファクシミリ装置との接続を切断する初回接続切断処理と、（へ）前記した再接続有無判別処理で前記した同一の送信側のファクシミリ装置が同一の電話番号の受信側のファクシミリ装置に再接続を要求していると判別したとき前記したＩＰ伝送路に接続され前記した電話番号を有する受信側のファクシミリ装置への接続が可能であるかを判別する受信可否判別処理と、（ト）この受信可否判別処理で前記した受信側のファクシミリ装置への接続が可能であると判別したとき前記した送信側のファクシミリ装置に前記したＩＰ伝送路を使用した前記した受信側のファクシミリ装置への通信処理を継続させる通信処理継続通知処理とを実行させることを特徴としている。
【発明の効果】
【００２２】
以上説明したように本発明によれば、送信側のファクシミリ装置側にファクシミリ通信仲介装置を配置して、このファクシミリ通信仲介装置が送信側のファクシミリ装置との初回接続時に必要なデータを取得することにしている。そして、送信側のファクシミリ装置がファクシミリ通信仲介装置に２回目以降の接続を行ったとき、受信側のファクシミリ装置との間のファクシミリ通信のアレンジを行うことにしている。これにより、ＳＩＰサーバに負担を掛けることなく、しかも送信側のファクシミリ装置にインターネットを用いた通信を意識させることなく、リアルタイムに画データを通信することができる。
【図面の簡単な説明】
【００２３】
【図１】本発明のファクシミリ通信仲介装置のクレーム対応図である。
【図２】本発明のファクシミリ通信システムのクレーム対応図である。
【図３】本発明のファクシミリ通信仲介方法のクレーム対応図である。
【図４】本発明のファクシミリ通信仲介プログラムのクレーム対応図である。
【図５】本発明の実施の形態によるファクシミリ通信システムの要部を表わしたシステム構成図である。
【図６】本実施の形態で第１のファクシミリ装置が同一の相手先にファクシミリ通信の第１回目を開始する際の第１のＳＩＰアダプタ装置との間で行われる処理の様子を表わした説明図である。
【図７】本実施の形態で第１のファクシミリ装置がファクシミリ通信のための第２回目の処理を開始した際の各装置の処理の様子を表わした説明図である。
【図８】送信側ファクシミリ装置から受信側ファクシミリ装置へファクシミリ通信が行われる際の送信側ＳＩＰアダプタ装置の処理の流れを示した流れ図である。
【図９】本発明の関連技術によるファクシミリ通信システムの概要を示すブロック図である。
【発明を実施するための形態】
【００２４】
図１は、本発明のファクシミリ通信仲介装置のクレーム対応図を示したものである。本発明のファクシミリ通信仲介装置１０は、接続要求受信手段１１、接続要求受信時データ取得手段１２、受信データ記憶手段１３、再接続有無判別手段１４、初回接続切断手段１５、受信可否判別手段１６および通信処理継続通知手段１７を備えている。ここで、接続要求受信手段１１は、インターネットプロトコルを用いて通信を行うＩＰ伝送路に接続され、通信に異常が発生したときにファクシミリ通信のための接続要求を繰り返す送信側のファクシミリ装置から接続要求を受信する。接続要求受信時データ取得手段１２は、接続要求受信手段１１がファクシミリ通信のための接続要求を受信したとき通信相手の電話番号と送信側のファクシミリ装置のＩＰアドレスを取得する。受信データ記憶手段１３は、接続要求受信時データ取得手段１２が取得した電話番号およびＩＰアドレスを接続要求の受信のたびに記憶する。再接続有無判別手段１４は、接続要求受信時データ取得手段１３の取得した電話番号およびＩＰアドレスを受信データ記憶手段１３に前回記憶した電話番号およびＩＰアドレスと比較する。これにより、同一の送信側のファクシミリ装置が同一の電話番号の受信側のファクシミリ装置に再接続を要求しているか否かを判別する。初回接続切断手段１５は、再接続有無判別手段１４が同一の送信側のファクシミリ装置が同一の電話番号の受信側のファクシミリ装置に再接続を要求していないと判別したとき送信側のファクシミリ装置との接続を切断する。受信可否判別手段１６は、再接続有無判別手段１５が受信側のファクシミリ装置に再接続を要求していると判別したときＩＰ伝送路に接続され電話番号を有する受信側のファクシミリ装置への接続が可能であるかを判別する。通信処理継続通知手段１７は、受信可否判別手段１６が受信側のファクシミリ装置への接続が可能であると判別したとき送信側のファクシミリ装置にＩＰ伝送路を使用した受信側のファクシミリ装置への通信処理を継続させる。
【００２５】
図２は、本発明のファクシミリ通信システムのクレーム対応図を示したものである。本発明のファクシミリ通信システム２０は、送信側のファクシミリ装置２１と、ファクシミリ通信仲介装置２２と、受信側のファクシミリ装置２３とを備えている。ここで、送信側のファクシミリ装置２１は、インターネットプロトコルを用いて通信を行うＩＰ伝送路に接続され、通信に異常が発生したときにファクシミリ通信のための接続要求を繰り返す。ファクシミリ通信仲介装置２２は、接続要求受信手段２２ａと、接続要求受信時データ取得手段２２ｂと、受信データ記憶手段２２ｃと、再接続有無判別手段２２ｄと、初回接続切断手段２２ｅと、受信可否判別手段２２ｆと、通信処理継続通知手段２２ｇを備えている。ここで、接続要求受信手段２２ａは送信側のファクシミリ装置２１から接続要求を受信する。接続要求受信時データ取得手段２２ｂは、接続要求受信手段２２ａがファクシミリ通信のための接続要求を受信したとき通信相手の電話番号と送信側のファクシミリ装置のＩＰアドレスを取得する。受信データ記憶手段２２ｃは、接続要求受信時データ取得手段２２ｂが取得した電話番号およびＩＰアドレスを接続要求の受信のたびに記憶する。再接続有無判別手段２２ｄは、接続要求受信時データ取得手段２２ｂの取得した電話番号およびＩＰアドレスを受信データ記憶手段２２ｃに前回記憶した電話番号およびＩＰアドレスと比較する。そして、同一の送信側のファクシミリ装置が同一の電話番号の通信相手のファクシミリ装置に再接続を要求しているか否かを判別する。初回接続切断手段２２ｅは、再接続有無判別手段２２ｄが同一の送信側のファクシミリ装置２１が同一の電話番号の受信側のファクシミリ装置２３に再接続を要求していないと判別したとき送信側のファクシミリ装置２１との接続を切断する。受信可否判別手段２２ｆは、再接続有無判別手段２２ｄが同一の送信側のファクシミリ装置２１が同一の電話番号の受信側のファクシミリ装置２３に再接続を要求していると判別したときＩＰ伝送路に接続され電話番号を有する通信相手のファクシミリ装置への接続が可能であるかを判別する。通信処理継続通知手段２２ｇは、受信可否判別手段２２ｆが相手先のファクシミリ装置への接続が可能であると判別したとき送信側のファクシミリ装置２１にＩＰ伝送路を使用した通信相手のファクシミリ装置への通信処理を継続させる。また、受信側のファクシミリ装置２３は、通信相手のファクシミリ装置としてインターネットプロトコルを用いて通信を行うＩＰ伝送路に接続されファクシミリ通信仲介装置を経由した通信を受信する。
【００２６】
図３は、本発明のファクシミリ通信仲介方法のクレーム対応図を示したものである。本発明のファクシミリ通信仲介方法３０は、接続要求受信ステップ３１、接続要求受信時データ取得ステップ３２、受信データ記憶ステップ３３、再接続有無判別ステップ３４、初回接続切断ステップ３５、受信可否判別ステップ３６および通信処理継続通知ステップ３７を備えている。ここで、接続要求受信ステップ３１は、インターネットプロトコルを用いて通信を行うＩＰ伝送路に接続され、通信に異常が発生したときにファクシミリ通信のための接続要求を繰り返す送信側のファクシミリ装置から接続要求を受信する。接続要求受信時データ取得ステップ３２は、接続要求受信ステップ３１でファクシミリ通信のための接続要求を受信したとき通信相手の電話番号と送信側のファクシミリ装置のＩＰアドレスを取得する。受信データ記憶ステップ３３は、接続要求受信時データ取得ステップ３２で取得した電話番号およびＩＰアドレスを接続要求の受信のたびに記憶する。再接続有無判別ステップ３４は、接続要求受信時データ取得ステップ３２で取得した電話番号およびＩＰアドレスを受信データ記憶ステップ３３で前回記憶した電話番号およびＩＰアドレスと比較する。そして、同一の送信側のファクシミリ装置が同一の電話番号の受信側のファクシミリ装置に再接続を要求しているか否かを判別する。初回接続切断ステップ３５は、再接続有無判別ステップ３４で同一の送信側のファクシミリ装置が同一の電話番号の受信側のファクシミリ装置に再接続を要求していないと判別したとき送信側のファクシミリ装置との接続を切断する。受信可否判別ステップ３６は、再接続有無判別ステップ３５で同一の送信側のファクシミリ装置が同一の電話番号の受信側のファクシミリ装置に再接続を要求していると判別したときＩＰ伝送路に接続され電話番号を有する受信側のファクシミリ装置への接続が可能であるかを判別する。通信処理継続通知ステップ３７は、受信可否判別ステップ３６で受信側のファクシミリ装置への接続が可能であると判別したとき送信側のファクシミリ装置にＩＰ伝送路を使用した受信側のファクシミリ装置への通信処理を継続させる。
【００２７】
図４は、本発明のファクシミリ通信仲介プログラムのクレーム対応図を示したものである。本発明のファクシミリ通信仲介プログラム４０は、コンピュータに、接続要求受信処理４１、接続要求受信時データ取得処理４２、受信データ記憶処理４３、再接続有無判別処理４４、初回接続切断処理４５、受信可否判別処理４６および通信処理継続通知処理４７を実行させるようにしている。ここで、接続要求受信処理４１は、インターネットプロトコルを用いて通信を行うＩＰ伝送路に接続され、通信に異常が発生したときにファクシミリ通信のための接続要求を繰り返す送信側のファクシミリ装置から接続要求を受信する。接続要求受信時データ取得処理４２は、接続要求受信処理４１でファクシミリ通信のための接続要求を受信したとき通信相手の電話番号と送信側のファクシミリ装置のＩＰアドレスを取得する。受信データ記憶処理４３は、接続要求受信時データ取得処理４２で取得した電話番号およびＩＰアドレスを接続要求の受信のたびに記憶する。再接続有無判別処理４４は、接続要求受信時データ取得処理４２で取得した電話番号およびＩＰアドレスを受信データ記憶処理４３で前回記憶した電話番号およびＩＰアドレスと比較する。そして、同一の送信側のファクシミリ装置が同一の電話番号の受信側のファクシミリ装置に再接続を要求しているか否かを判別する。初回接続切断処理４５は、再接続有無判別処理４４で同一の送信側のファクシミリ装置が同一の電話番号の受信側のファクシミリ装置に再接続を要求していないと判別したとき送信側のファクシミリ装置との接続を切断する。受信可否判別処理４６は、再接続有無判別処理４５で同一の送信側のファクシミリ装置が同一の電話番号の受信側のファクシミリ装置に再接続を要求していると判別したときＩＰ伝送路に接続され電話番号を有する受信側のファクシミリ装置への接続が可能であるかを判別する。通信処理継続通知処理４７は、受信可否判別処理４６で受信側のファクシミリ装置への接続が可能であると判別したとき送信側のファクシミリ装置にＩＰ伝送路を使用した受信側のファクシミリ装置への通信処理を継続させる。
【００２８】
＜発明の実施の形態＞
【００２９】
次に本発明の実施の形態を説明する。
【００３０】
図５は、本発明の実施の形態によるファクシミリ通信システムの要部を表わしたものである。本実施の形態のファクシミリ通信システム２００は、ＬＡＮ２０１に接続されたＳＩＰサーバ２０２と、第１〜第Ｍのファクシミリ通信ユニット２０３1〜２０３Mで構成されている。第１のファクシミリ通信ユニット２０３1は、第１のＳＩＰアダプタ装置２０４1と、これとＬＡＮ２０１を介して接続された第１のファクシミリ装置２０５1によって構成されている。また、第Ｍのファクシミリ通信ユニット２０３Mは、第ＭのＳＩＰアダプタ装置２０４Mと、これとＬＡＮ２０１を介して接続された第Ｍのファクシミリ装置２０５Mによって構成されている。ＳＩＰアダプタ装置２０４1は、ＳＩＰサーバ２０２を介してＳＩＰプロトコル（ＲＦＣ（Request For Comment）３２６１）の送受信を行い、たとえば第１のファクシミリ装置２０５1が第Ｍのファクシミリ装置２０５Mとデータ通信できるようにしている。
【００３１】
本実施の形態では、第１のファクシミリ装置２０５1から第Ｍのファクシミリ装置２０５Mに対して画像情報の送信を行う場合を例にとって説明を行うことにする。そこで、まず第１のファクシミリ通信ユニット２０３1を構成する第１のＳＩＰアダプタ装置２０４1について説明を行う。
【００３２】
第１のＳＩＰアダプタ装置２０４1は、ＣＰＵ（Central Processing Unit）２２１1とメモリ２２２1とを備えた主制御部２２３1を有している。ここで、メモリ２２２1は、少なくともその一部領域に、ＣＰＵ２２１1がこの第１のＳＩＰアダプタ装置２０４1の各種制御を行うための制御プログラムを格納している。主制御部２２３1は、データバス等のバス２２４1を介して第１のＳＩＰアダプタ装置２０４1内の各部と接続されている。ただし、次に説明するこれら各部のうちの少なくとも一部は、ＣＰＵ２２１1が制御プログラムを実行することによってソフトウェア的に実現するデバイスであってもよい。
【００３３】
ＬＡＮ制御部２２６1は、ＬＡＮ２０１に接続されたＳＩＰサーバ２０２や、第ＭのＳＩＰアダプタ装置２０４M等の他のＳＩＰアダプタ装置２０４とＳＩＰプロトコルのやり取りを行うようになっている。また、ＬＡＮ制御部２２６1は、第１のＳＩＰアダプタ装置２０４1がＳＩＰサーバ２０２や第ＭのＳＩＰアダプタ装置２０４MとＳＩＰプロトコルの送受信を行う際の制御や、第１のファクシミリ装置２０５1から受信したデータを第Ｍのファクシミリ装置２０５Mへ転送する制御を行う。
【００３４】
解析部２２７1は、ＬＡＮ制御部２２６1から受信したデータを解析し、第１のファクシミリ装置２０５1の送信先のアドレスである電話番号２３１1と第１のファクシミリ装置２０５1のＩＰアドレス２３２1を取得する。第１のファクシミリ装置２０５1から受信したデータは、ＳＭＴＰプロトコル（ＲＦＣ２８２１）のデータである。「ＲＣＰＴ（recipient）」コマンドを解析することにより、電話番号２３１1を取得する。また、ＳＭＴＰプロトコルはＩＰパケットであるため、データ受信時にＩＰアドレス２３２1を取得する。
【００３５】
変換部２２８1は、第１のファクシミリ装置２０５1から受信したデータから送信元のメールアドレスおよび送信先の電話番号２３１1を、送信元のＳＩＰ−ＵＲＬ２３３1および送信先のＳＩＰ−ＵＲＬ２３４1に変換することを行う。
【００３６】
記憶部２２９1は、送受信を行うのに必要な情報を格納するようになっている。このうち、電話番号２３１1は、解析部２２７1でデータ解析された際の第１のファクシミリ装置２０５1の送信先アドレスを示している。ＩＰアドレス２３２1は、第１のファクシミリ装置２０５1のものである。ＳＩＰ−ＵＲＬ（Uniform Resource Locator）２３３1は、第１のＳＩＰアダプタ装置２０４1自身のものである。ＳＩＰ−ＵＲＬ２３４1は、第１のＳＩＰアダプタ装置２０４1が第ＭのＳＩＰアダプタ装置２０４Mに接続する際に取得する相手装置のＳＩＰ−ＵＲＬである。ＳＩＰ−ＵＲＬは、ＳＩＰの端末を識別するものであり、「電話番号」＠「ドメイン」という形式をとるものとする。ＳＩＰ−ＵＲＬ２３３1の場合、第１のＳＩＰアダプタ装置２０４1に割り振られている電話番号を「電話番号」部分に、第１のＳＩＰアダプタ装置２０４1が設置されているネットワーク上のドメインを「ドメイン」部分に設定する。
【００３７】
第１のファクシミリ通信ユニット２０３1を構成する第１のファクシミリ装置２０５1は、第１のＳＩＰアダプタ装置２０４1とペアとなった装置である。第１のファクシミリ装置２０５1は、ＩＴＵ−Ｔ（International Telecommunication Union Telecommunication Standardization）．３７で示されたインターネット用のファクシミリ通信可能な装置である。第１のファクシミリ装置２０５1は、送信先アドレス（メールアドレス）として電話番号を設定することができる。また、本実施の形態で示す例では、送信側の第１のファクシミリ装置２０５1が画像情報を第１のＳＩＰアダプタ装置２０４1を介して、相手先の第Ｍのファクシミリ装置２０５Mに送信することができる。
【００３８】
次に、受信側の第Ｍのファクシミリ通信ユニット２０３Mを構成する第ＭのＳＩＰアダプタ装置２０４Mについて説明を行う。
【００３９】
第ＭのＳＩＰアダプタ装置２０４Mは、主制御部２２３M、ＬＡＮ制御部２２６M、解析部２２７M、変換部２２８Mおよび記憶部２２９Mから構成されている。主制御部２２３MはＣＰＵ２２１Mとメモリ２２２Mから構成されている。ＬＡＮ制御部２２６Mは、第ＭのＳＩＰアダプタ装置２０４MがＳＩＰサーバ２０２や第１のＳＩＰアダプタ装置２０４1とＳＩＰプロトコルの送受信を行う際の制御を行う。ＬＡＮ制御部２２６Mは、また、第１のファクシミリ装置２０５1からのデータを第Ｍのファクシミリ装置２０５Mへ転送する制御も行う。
【００４０】
解析部２２７Mは、第１のＳＩＰアダプタ装置２０４1から受信したデータを解析し、送信元アドレスであるＳＩＰ−ＵＲＬ２３３1および送信先アドレスであるＳＩＰ−ＵＲＬ２３４1を取得する。
【００４１】
変換部２２８Mは、第１のＳＩＰアダプタ装置２０４1から受信したデータより、送信元のＳＩＰ−ＵＲＬ２３３1および送信先のＳＩＰ−ＵＲＬ２３４1を、送信元の電話番号２４４Mおよび送信先のメールアドレス２４２Mに変換することを行う。
【００４２】
記憶部２２９Mは、送信装置の情報や受信側装置の情報を一時的に記憶しておく装置である。この記憶部２２９Mは、第ＭのＳＩＰアダプタ装置２０４Mが第１のＳＩＰアダプタ装置２０４1に接続した際に取得したＳＩＰ−ＵＲＬ２３３1から変換した第１のファクシミリ装置２０５1の電話番号２４４Mを記憶する。また、記憶部２２９Mは、予め第ＭのＳＩＰアダプタ装置２０４Mに登録しておいた、第Ｍのファクシミリ装置２０５MのＩＰアドレス２４１Mや、メールアドレス２４２M、自装置側の電話番号２４３Mを記憶する。
【００４３】
第Ｍのファクシミリ装置２０５Mは、第ＭのＳＩＰアダプタ装置２０４Mからインターネットファックスを受信しファクシミリ画像を記憶することができる装置である。
【００４４】
なお、図５では第１のＳＩＰアダプタ装置２０４1をファクシミリ通信の送信側の装置としてその構成を示しており、第ＭのＳＩＰアダプタ装置２０４Mを受信側の装置としてその構成を示している。実際には、これら第１〜第ＭのＳＩＰアダプタ装置２０４1〜２０４Mは、送受信兼用の機能を備えている場合が多い。そこで、送受信兼用の機能を備えている場合は、それぞれのＳＩＰアダプタ装置２０４1〜２０４Mの記憶部２２９1〜２２９Mが、以上説明した記憶部２２９1と記憶部２２９Mの双方の構成を備えたものとなっている。
【００４５】
以上のような構成のファクシミリ通信システム２００で、第１のＳＩＰアダプタ装置２０４1は、第１のファクシミリ装置２０５1から送られてくるファクシミリ画像を受信し、ＳＩＰプロトコルによる接続処理とファクシミリ画像の転送処理を行うことができる。同様に、第ＭのＳＩＰアダプタ装置２０４Mは、第Ｍのファクシミリ装置２０５Mから送られてくるファクシミリ画像を受信し、ＳＩＰプロトコルによる接続処理とファクシミリ画像の転送処理を行うことができる。
【００４６】
ところで、ＳＩＰプロトコルによる通信を行うため、第１のＳＩＰアダプタ装置２０４1は、接続相手先の第ＭのＳＩＰアダプタ装置２０４Mのアドレスを予め知っている必要がある。一般に、インターネットを使用したファクシミリ通信における送信先のアドレスは、ＳＭＴＰ通信中に受け渡しが行われる。このため、ＳＭＴＰプロトコルによる通信をＳＩＰプロトコルによる通信へ直接に変換するのは、タイミングとして難しい。
【００４７】
そこで本実施の形態では、第１〜第Ｍのファクシミリ装置２０５1〜２０５Mに、通常のファクシミリ装置が備えている再送信機能を備えさせている。この再送信機能は、たとえば第１のファクシミリ装置２０５1が第Ｍのファクシミリ装置２０５Mに画像情報を送信しようとしたとき、第Ｍのファクシミリ装置２０５Mが話中の場合に、所定時間経過後に画像情報の再送を試みる機能である。本実施の形態では、この再送信機能を利用して、接続相手先のＳＩＰアダプタ装置２０４を特定し、画像情報の通信を行う。この概要を次に説明する。
【００４８】
まず、第１のＳＩＰアダプタ装置２０４1は、インターネットを利用して送信するファクシミリ信号を第１のファクシミリ装置２０５1から受信する。第１のＳＩＰアダプタ装置２０４1は、これに基づく相手先への最初の通信で接続相手先のアドレスを取得する。第１のＳＩＰアダプタ装置２０４1は接続相手先のアドレスを取得した時点で、第１のファクシミリ装置２０５1との接続を中断する。このとき、第１のＳＩＰアダプタ装置２０４1は、第１のファクシミリ装置２０５1のＩＰアドレスおよび接続相手先のアドレスを記憶しておく。
【００４９】
次に、この送信側の第１のＳＩＰアダプタ装置２０４1は、前記した再送信機能による再送信用の通信で、相手先の第ＭのＳＩＰアダプタ装置２０４Mに接続する。第１のＳＩＰアダプタ装置２０４1は、ＳＩＰプロトコルによる接続が行われたら、第１のファクシミリ装置２０５1からの通信を第ＭのＳＩＰアダプタ装置２０４Mに転送する。一方、第ＭのＳＩＰアダプタ装置２０４Mは、第１のＳＩＰアダプタ装置２０４1からの接続を受けると、第Ｍのファクシミリ装置２０５Mに接続を行う。そして、第１のファクシミリ装置２０５1からの通信を第Ｍのファクシミリ装置２０５Mに転送する。
【００５０】
以上のようにして、第１のファクシミリ装置２０５1から第Ｍのファクシミリ装置２０５Mへのリアルタイムでの画像情報の送信が行われる。次に、この具体的なファクシミリ通信システム２００の動作を説明する。
【００５１】
図６は、第１のファクシミリ装置が同一の相手先にファクシミリ通信の第１回目を開始する際の第１のＳＩＰアダプタ装置との間で行われる処理の様子を表わしたものである。図５と共に説明する。
【００５２】
まず、第１のファクシミリ装置２０５1は、ファクシミリ信号を第１のＳＩＰアダプタ装置２０４1に送信するため、第１のＳＩＰアダプタ装置２０４1に接続する（ステップＳ３０１）。第１のＳＩＰアダプタ装置２０４1は、接続が行われると、これに対して第１のファクシミリ装置２０５1に応答を示す制御コード「２２０」を返す（ステップＳ３０２）。このとき、第１のＳＩＰアダプタ装置２０４1は、接続元である第１のファクシミリ装置２０５1のＩＰアドレス２３２1を取得する。
【００５３】
第１のファクシミリ装置２０５1は、第１のＳＩＰアダプタ装置２０４1からの応答があると、ＳＭＴＰを使ったメール転送が始まることを受け手側に知らせるために「ＨＥＬＯ」コマンドを送信する（ステップＳ３０３）。第１のＳＩＰアダプタ装置２０４1は、これに対して制御コード「２５０」を先頭につけた「ＯＫ」のメッセージを返送する（ステップＳ３０４）。これにより、送り手側である第１のファクシミリ装置２０５1と受け手側である第１のＳＩＰアダプタ装置２０４1の双方がメール転送の初期状態になり、いつでもメールの転送を開始できる。
【００５４】
そこで、第１のファクシミリ装置２０５1は、受信側のＭＡＩＬコマンドを利用して、「ＭＡＩＬ  ＦＲＯＭ」として、これに続いて、送信側の第１のファクシミリ装置２０５1のメールアドレスを送信する（ステップＳ３０５）。第１のＳＩＰアダプタ装置２０４1は、このステップＳ３０５によるメッセージを正常に受信すると、制御コード「２５０」を先頭につけた「ＯＫ」のメッセージを返送する（ステップＳ３０６）。
【００５５】
すると、送り手側である第１のファクシミリ装置２０５1は第１のＳＩＰアダプタ装置２０４1に対して、「ＲＣＰＴ  ＴＯ」コマンドを送信する（ステップＳ３０７）。これは、この「ＲＣＰＴ  ＴＯ」コマンドを通じて宛先情報を第１のＳＩＰアダプタ装置２０４1に送信するためである。宛先情報は、相手先としての第Ｍのファクシミリ装置２０５Mの電話番号としての電話番号２３１1である。
【００５６】
第１のＳＩＰアダプタ装置２０４1は、この「ＲＣＰＴ  ＴＯ」コマンドを正常に受信すると、制御コード「２５０」を先頭につけた「ＯＫ」のメッセージを返送する（ステップＳ３０８）。第１のＳＩＰアダプタ装置２０４1が、「ＲＣＰＴ  ＴＯ」コマンドを正常に受信できなかった場合には、その旨を示す応答が行われる。
【００５７】
ステップＳ２０７およびステップＳ３０８の処理で、第１のファクシミリ装置２０５1がどの相手先にファクシミリ信号を送信しようとするかを第１のＳＩＰアダプタ装置２０４1側で把握できる。そこで、第１のファクシミリ装置２０５1は、「ＤＡＴＡ」コマンドを第１のＳＩＰアダプタ装置２０４1に送信する（ステップＳ３０９）。
【００５８】
この「ＤＡＴＡ」コマンドの送信に対して、ＲＦＣ８２１に規定されているＳＭＴＰによるメール転送では、制御コード「３５４」を先頭につけたメッセージを返して、メールデータの受信準備ができたことを伝える。本実施の形態の場合には、これと異なり、第１のＳＩＰアダプタ装置２０４1は、制御コード「４５１」を先頭につけたメッセージを返す（ステップＳ３１０）。本来、この制御コード「４５１」による応答は、一時的に、このコマンドに対して処理を実行できないことを示すものである。すなわち、本実施の形態で第１のＳＩＰアダプタ装置２０４1は、一時的なエラーを通知することで、第１のファクシミリ装置２０５1に対して、送信の再送をさせるようにする。
【００５９】
第１のファクシミリ装置２０５1は、第１のＳＩＰアダプタ装置２０４1から制御コード「４５１」による応答を受けると、これに対して、「ＱＵＩＴ」コマンドを送信する（ステップＳ３１１）。これにより、ステップＳ３０９で開始したデータの転送のための処理が終了する。第１のＳＩＰアダプタ装置２０４1は、「ＱＵＩＴ」コマンドを受信すると、制御コード「２２１」を第１のファクシミリ装置２０５1に返す（ステップＳ３１２）。第１のファクシミリ装置２０５1は、制御コード「２２１」を受信すると、第１のＳＩＰアダプタ装置２０４1との接続を切断する（ステップＳ３１３）。
【００６０】
以上のようにして、第１のファクシミリ装置２０５1が最初にファクシミリ信号を送出しようとした段階で、送信の相手先の電話番号２３１1と第１のファクシミリ装置２０５1のＩＰアドレス２３２1が第１のＳＩＰアダプタ装置２０４1に通知される。
【００６１】
ところで、第１のファクシミリ装置２０５1は、図６のステップＳ３１１で第１のＳＩＰアダプタ装置２０４1から一時的なエラーの通知を受けた。そこで、第１のファクシミリ装置２０５1は、ファクシミリ通信のための第２回目の処理を開始する。
【００６２】
図７は、第１のファクシミリ装置がファクシミリ通信のための第２回目の処理を開始した際の各装置の処理の様子を表わしたものである。図５と共に説明する。
【００６３】
まず、第１のファクシミリ装置２０５1は、ファクシミリ信号を第１のＳＩＰアダプタ装置２０４1に送信するため、第１のＳＩＰアダプタ装置２０４1に接続する（ステップＳ３３１）。第１のＳＩＰアダプタ装置２０４1は、接続元であるファクシミリ装置が、前回、送信された第１のファクシミリ装置２０５1からの通信であるか確認を行うために、現在の送信されてきたＩＰアドレスと前回、記憶部２２９1に格納したＩＰアドレス２３２1を比較する。この結果、両者が同一のＩＰアドレスであれば、ファクシミリの送信処理を続ける。
【００６４】
すなわち、第１のＳＩＰアダプタ装置２０４1は両者が同一のＩＰアドレスと判断した場合には、相手先の電話番号２３１1を基にして、これに対応する第ＭのＳＩＰアダプタ装置２０４Mに対して接続する。そして、第ＭのＳＩＰアダプタ装置２０４Mに対して、ＳＩＰプロトコルのコマンドである「ＩＮＶＩＴＥ」コマンドを送信するステップＳ３３２）。
【００６５】
第ＭのＳＩＰアダプタ装置２０４Mは、接続が行われると、これに対して第１のＳＩＰアダプタ装置２０４1に応答を示す制御コード「２００」を先頭に付けた「ＯＫ」のメッセージを返す（ステップＳ３３３）。このとき、第１のＳＩＰアダプタ装置２０４1は、第ＭのＳＩＰアダプタ装置２０４Mより第ＭのＳＩＰアダプタ装置２０４MのＳＩＰ−ＵＲＬ２３４1を取得する。
【００６６】
第１のＳＩＰアダプタ装置２０４1は、制御コード「２００」を先頭に付けた「ＯＫ」のメッセージを受信したら、第ＭのＳＩＰアダプタ装置２０４Mに対して、ＳＭＴＰ通信の接続を行い（ステップＳ３３４）、第１のファクシミリ装置２０５1からの接続を転送する。これを受けて、第ＭのＳＩＰアダプタ装置２０４Mは、第Ｍのファクシミリ装置２０５Mに対して接続を行う（ステップＳ３３５）。すなわち、第ＭのＳＩＰアダプタ装置２０４Mは、予め登録しておいた第Ｍのファクシミリ装置２０５MのＩＰアドレス２４１Mと、第Ｍのファクシミリ装置２０５Mの電話番号２４３Mを基にして、第Ｍのファクシミリ装置２０５Mへの接続を行う。
【００６７】
第Ｍのファクシミリ装置２０５Mは、第ＭのＳＩＰアダプタ装置２０４Mから接続を受けると、第ＭのＳＩＰアダプタ装置２０４Mに対して応答を示す制御コード「２２０」を先頭に付けた「ＯＫ」のメッセージを返す（ステップＳ３３６）。これを基にして、第ＭのＳＩＰアダプタ装置２０４Mは、第１のＳＩＰアダプタ装置２０４1に応答を示す制御コード「２００」を先頭に付けた「ＯＫ」のメッセージを返す（ステップＳ３３７）。更に、第１のＳＩＰアダプタ装置２０４1は、これを基にして、第１のファクシミリ装置２０５1に対して応答を示す制御コード「２２０」を先頭に付けた「ＯＫ」のメッセージを返す（ステップＳ３３８）。
【００６８】
第１のファクシミリ装置２０５1は、以上のようにして制御コード「２２０」を先頭に付けた「ＯＫ」のメッセージを受信すると、第１のＳＩＰアダプタ装置２０４1に対して「ＨＥＬＯ」コマンドを送信する（ステップＳ３３９）。第１のＳＩＰアダプタ装置２０４1は、「ＨＥＬＯ」コマンドを受信すると、第ＭのＳＩＰアダプタ装置２０４Mに対して「ＨＥＬＯ」コマンドを送信する（ステップＳ３４０）。第ＭのＳＩＰアダプタ装置２０４Mは、ＨＥＬＯ」コマンドを受信すると、第Ｍのファクシミリ装置２０５Mに対して「ＨＥＬＯ」コマンドを送信する（ステップＳ３４１）。
【００６９】
このようにして「ＨＥＬＯ」コマンドを受信すると、第Ｍのファクシミリ装置２０５Mは、制御コード「２５０」を先頭につけた「ＯＫ」のメッセージを第ＭのＳＩＰアダプタ装置２０４Mに送信する（ステップＳ３４２）。第ＭのＳＩＰアダプタ装置２０４Mは、これを基にして、制御コード「２５０」を先頭につけた「ＯＫ」のメッセージを第１のＳＩＰアダプタ装置２０４1に送信する（ステップＳ３４３）。第１のＳＩＰアダプタ装置２０４1は、これを基にして同じく制御コード「２５０」を先頭につけた「ＯＫ」のメッセージを第１のファクシミリ装置２０５1に送信する（ステップＳ３４４）。
【００７０】
このように「ＨＥＬＯ」コマンドの送信に対して「ＯＫ」のメッセージの返答を受信したら、第１のファクシミリ装置２０５1は、第１のＳＩＰアダプタ装置２０４1に対して「ＭＡＩＬ  ＦＲＯＭ」コマンドを送信する（ステップＳ３４６）。このとき、第１のファクシミリ装置２０５1は、「ＭＡＩＬ  ＦＲＯＭ」コマンドのパラメータとして自装置のメールアドレスを使用する。
【００７１】
第１のＳＩＰアダプタ装置２０４1は、この「ＭＡＩＬ  ＦＲＯＭ」コマンドを受信する。そして、「ＭＡＩＬ  ＦＲＯＭ」コマンドのパラメータを第１のファクシミリ装置２０５1のメールアドレスから第１のＳＩＰアダプタ装置２０４1のＳＩＰ−ＵＲＬであるＳＩＰ−ＵＲＬ２３３1に置き換える。第１のＳＩＰアダプタ装置２０４1は、この置き換えたＳＩＰ−ＵＲＬ２３３1をパラメータとして「ＭＡＩＬ  ＦＲＯＭ」コマンドを第ＭのＳＩＰアダプタ装置２０４Mに送信する（ステップＳ３４７）。
【００７２】
第ＭのＳＩＰアダプタ装置２０４Mは、「ＭＡＩＬ  ＦＲＯＭ」コマンドを受信すると、第Ｍのファクシミリ装置２０５Mに対して、「ＭＡＩＬ  ＦＲＯＭ」コマンドを送信する。このとき、第ＭのＳＩＰアダプタ装置２０４Mは、「ＭＡＩＬ  ＦＲＯＭ」コマンドのメールアドレス部分を第１のファクシミリ装置２０５1の電話番号に置き換えて送信を行う（ステップＳ３４８）。このようにメールアドレスを置き換えていくのは、ＳＩＰアダプタ装置２０４間ではＳＩＰアダプタ装置間で有効なアドレスを必要とし、ファクシミリ装置２０５間では、ファクシミリ装置上で有効なアドレスを必要とするためである。
【００７３】
第Ｍのファクシミリ装置２０５Mは、「ＭＡＩＬ  ＦＲＯＭ」コマンドを受信すると、第ＭのＳＩＰアダプタ装置２０４Mに対して制御コード「２５０」を先頭につけた「ＯＫ」のメッセージを返送する（ステップＳ３４９）。このメッセージを受信した第ＭのＳＩＰアダプタ装置２０４Mは、第１のＳＩＰアダプタ装置２０４1に対して制御コード「２５０」を先頭につけた「ＯＫ」のメッセージを返送する（ステップＳ３５０）。同様に、このメッセージを受信した第１のＳＩＰアダプタ装置２０４1は、第１のファクシミリ装置２０５1に対して制御コード「２５０」を先頭につけた「ＯＫ」のメッセージを返送する（ステップＳ３５１）。
【００７４】
第１のファクシミリ装置２０５1は、このようにして「ＭＡＩＬ  ＦＲＯＭ」コマンドに対して「ＯＫ」のメッセージを受信したら、次の処理段階に進む。すなわち、第１のファクシミリ装置２０５1は、第１のＳＩＰアダプタ装置２０４1に対して、「ＲＣＰＴ  ＴＯ」コマンドを送信する（ステップＳ３５２）。このとき、「ＲＣＰＴ  ＴＯ」コマンドのパラメータには送信元の電話番号２３１1を設定する。
【００７５】
第１のＳＩＰアダプタ装置２０４1は、このコマンドを受け取ると、今回送信されてきた電話番号と前回送信されてきた送信先の電話番号２３１1を比較する。これらが同一の電話番号であれば、ファクシミリの送信処理を続ける。すなわち、第１のＳＩＰアダプタ装置２０４1は、第ＭのＳＩＰアダプタ装置２０４Mに対して「ＲＣＰＴ  ＴＯ」コマンドを送信する（ステップＳ３５３）。このとき、第１のＳＩＰアダプタ装置２０４1は、「ＲＣＰＴ  ＴＯ」コマンドのパラメータを電話番号２３１1から第ＭのＳＩＰアダプタ装置２０４MのＳＩＰ−ＵＲＬ２３４1に置き換えて送信する。第ＭのＳＩＰアダプタ装置２０４Mは、この「ＲＣＰＴ  ＴＯ」コマンドを受け取る。そして、「ＲＣＰＴ  ＴＯ」コマンドのパラメータを第ＭのＳＩＰアダプタ装置２０４MのＳＩＰ−ＵＲＬ２３４1から、予め登録しておいた第Ｍのファクシミリ装置２０５Mのメールアドレス２４２Mに置き換える。この処理が終了したら、第ＭのＳＩＰアダプタ装置２０４Mは「ＲＣＰＴ  ＴＯ」コマンドを第Ｍのファクシミリ装置２０５Mへ送信する（ステップＳ３５４）。
【００７６】
第Ｍのファクシミリ装置２０５Mは、「ＲＣＰＴ  ＴＯ」コマンドを正常に受信すると、制御コード「２５０」を先頭につけた「ＯＫ」のメッセージを第ＭのＳＩＰアダプタ装置２０４Mに返送する（ステップＳ３５５）。第ＭのＳＩＰアダプタ装置２０４Mは、これを受信すると、第１のＳＩＰアダプタ装置２０４1にこのメッセージを送出する（ステップＳ３５６）。第１のＳＩＰアダプタ装置２０４1は、これを受信すると、第１のファクシミリ装置２０５1にこのメッセージを送出する（ステップＳ３５７）。
【００７７】
第１のファクシミリ装置２０５1は、制御コード「２５０」を先頭につけた「ＯＫ」のメッセージを受信すると、「ＤＡＴＡ」コマンドを第１のＳＩＰアダプタ装置２０４1に送信する（ステップＳ３５８）。第１のＳＩＰアダプタ装置２０４1は、「ＤＡＴＡ」コマンドを受信すると、これを第ＭのＳＩＰアダプタ装置２０４Mに送信する（ステップＳ３５９）。第ＭのＳＩＰアダプタ装置２０４Mはこの「ＤＡＴＡ」コマンドを受信すると、これを第Ｍのファクシミリ装置２０５Mに送信する（ステップＳ３６０）。
【００７８】
第Ｍのファクシミリ装置２０５Mは、このようにして「ＤＡＴＡ」コマンドを受信すると、制御コード「３５４」を先頭につけた「ＯＫ」のメッセージを第ＭのＳＩＰアダプタ装置２０４Mに返送する（ステップＳ３６１）。第ＭのＳＩＰアダプタ装置２０４Mは、制御コード「３５４」を先頭につけた「ＯＫ」のメッセージを受信すると、これを第１のＳＩＰアダプタ装置２０４1に送信する（ステップＳ３６２）。第１のＳＩＰアダプタ装置２０４1も同様に制御コード「３５４」を先頭につけた「ＯＫ」のメッセージを受信すると、これを第１のファクシミリ装置２０５1に送信する（ステップＳ３６３）。
【００７９】
第１のファクシミリ装置２０５1は、制御コード「３５４」を先頭につけた「ＯＫ」のメッセージを受信すると、実際のファクシミリデータとしての画像情報（画データ）を第１のＳＩＰアダプタ装置２０４1に送信する（ステップＳ３６４）。この画データを受信した第１のＳＩＰアダプタ装置２０４1は、これを第ＭのＳＩＰアダプタ装置２０４Mに送信する（ステップＳ３６５）。この画データを受信した第ＭのＳＩＰアダプタ装置２０４Mも、同様にこれを第Ｍのファクシミリ装置２０５Mに送信する（ステップＳ３６６）。
【００８０】
第Ｍのファクシミリ装置２０５Mは、画データを受信すると、制御コード「２５０」を先頭につけた「ＯＫ」のメッセージを第ＭのＳＩＰアダプタ装置２０４Mに返送する（ステップＳ３６７）。第ＭのＳＩＰアダプタ装置２０４Mは、この「ＯＫ」のメッセージを第１のＳＩＰアダプタ装置２０４1に送信する（ステップＳ３６８）。第１のＳＩＰアダプタ装置２０４1も同様にこの「ＯＫ」のメッセージを受信すると、これを第１のファクシミリ装置２０５1に送信する（ステップＳ３６９）。
【００８１】
第１のファクシミリ装置２０５1はこれにより、宛先の第Ｍのファクシミリ装置２０５Mが画データを正常に受信したことが分かる。そこで、第１のファクシミリ装置２０５1はファクシミリ通信の終了のために「ＱＵＩＴ」コマンドを第１のＳＩＰアダプタ装置２０４1に送信する（ステップＳ３７０）。第１のＳＩＰアダプタ装置２０４1は、「ＱＵＩＴ」コマンドを受信すると、これを第ＭのＳＩＰアダプタ装置２０４Mに送信する（ステップＳ３７１）。第ＭのＳＩＰアダプタ装置２０４Mは、同様に「ＱＵＩＴ」コマンドを受信すると、これを第Ｍのファクシミリ装置２０５Mに送信する（ステップＳ３７２）。
【００８２】
第Ｍのファクシミリ装置２０５Mは、「ＱＵＩＴ」コマンドを受信すると、制御コード「２２１」を先頭につけた「ＯＫ」のメッセージを第ＭのＳＩＰアダプタ装置２０４Mに返送する（ステップＳ３７３）。第ＭのＳＩＰアダプタ装置２０４Mは、このメッセージを受信すると、制御コード「２２１」を先頭につけた「ＯＫ」のメッセージを第１のＳＩＰアダプタ装置２０４1に送信する（ステップＳ３７４）。第１のＳＩＰアダプタ装置２０４1も、同様にこのメッセージを受信すると、制御コード「２２１」を先頭につけた「ＯＫ」のメッセージを第１のファクシミリ装置２０５1に送信する（ステップＳ３７５）。
【００８３】
第１のファクシミリ装置２０５1は、「ＱＵＩＴ」コマンドの送出に対して第Ｍのファクシミリ装置２０５Mから「ＯＫ」のメッセージを受信したので、第１のＳＩＰアダプタ装置２０４1とのファクシミリ通信を切断する（ステップＳ３７６）。第１のＳＩＰアダプタ装置２０４1は、第１のファクシミリ装置２０５1との通信が切断されたので、第ＭのＳＩＰアダプタ装置２０４Mとのファクシミリ通信を切断する（ステップＳ３７７）。第ＭのＳＩＰアダプタ装置２０４Mは、第１のＳＩＰアダプタ装置２０４1との通信が切断されたので、第Ｍのファクシミリ装置２０５Mとのファクシミリ通信を切断する（ステップＳ３７８）。
【００８４】
最後に第ＭのＳＩＰアダプタ装置２０４Mは、第Ｍのファクシミリ装置２０５Mとのファクシミリ通信を切断した後に第１のＳＩＰアダプタ装置２０４1に対して「ＢＹＥ」コマンドを送信する（ステップＳ３７９）。そして、第１のＳＩＰアダプタ装置２０４1との通信を終了する。第１のＳＩＰアダプタ装置２０４1は、「ＢＹＥ」コマンドを受信すると、「ＯＫ」のメッセージを第ＭのＳＩＰアダプタ装置２０４Mに送出して（ステップＳ３８０）、ファクシミリ通信についてのすべての処理が終了する。
【００８５】
このようにして、第１のファクシミリ装置２０５1から第Ｍのファクシミリ装置２０５Mに対するファクシミリ通信がリアルタイムに行われる。したがって、ステップＳ３６４〜ステップＳ３６９の画データの送信の過程で何らかのエラーが生じても「ＯＫ」のメッセージが返答されないので、これに対処することができる。
【００８６】
図８は、送信側ファクシミリ装置から受信側ファクシミリ装置へファクシミリ通信が行われる際の送信側ＳＩＰアダプタ装置の処理の流れを示したものである。この図８で送信側ファクシミリ装置とは、これまでの説明における第１のファクシミリ装置２０５1を指し、受信側ファクシミリ装置とは第Ｍのファクシミリ装置２０５Mを指すものとする。同様に送信側ＳＩＰアダプタ装置とは第１のＳＩＰアダプタ装置２０４1を指し、受信側ＳＩＰアダプタ装置とは第ＭのＳＩＰアダプタ装置２０４Mを指すものとする。また、図８ではファクシミリ装置を簡略的に「ＦＡＸ」と表示することにする。図５と共に説明する。
【００８７】
送信側ＳＩＰアダプタ装置である第１のＳＩＰアダプタ装置２０４1は、送信側ファクシミリ装置としての第１のファクシミリ装置２０５1から接続の要求があるのを待機している（ステップＳ４０１）。接続の要求があると（Ｙ）、第１のＳＩＰアダプタ装置２０４1は、記憶部２２９1に相手先の第Ｍのファクシミリ装置２０５Mに関する電話番号２３１1と第１のファクシミリ装置２０５1のＩＰアドレス２３２1が登録されているかをチェックする（ステップＳ４０２）。これは第１のファクシミリ装置２０５1からの今回の接続要求が前記した第１回目のものか第２回目のものかを判別するためである。
【００８８】
これらの電話番号２３１1およびＩＰアドレス２３２1が登録されていなかった場合には（ステップＳ４０２：Ｎ）、第１回目の接続要求であると分かる。そこでこの場合には、第１のファクシミリ装置２０５1が接続された際に、第Ｍのファクシミリ装置２０５Mに関する電話番号２３１1と第１のファクシミリ装置２０５1のＩＰアドレス２３２1を記憶部２２９1に登録する（ステップＳ４０３）。この後、第１のＳＩＰアダプタ装置２０４1は、第１のファクシミリ装置２０５1との接続を切断し（ステップＳ４０４）、再びステップＳ４０１の処理に戻る（リターン）。この部分の説明は、図６で行った。
【００８９】
一方、電話番号２３１1およびＩＰアドレス２３２1が登録されている場合は、第１のファクシミリ装置２０５1からの接続の要求が第２回目であることが分かる。この場合（ステップＳ４０２：Ｙ）、第１のＳＩＰアダプタ装置２０４1は、第ＭのＳＩＰアダプタ装置２０４Mに対して接続し（ステップＳ４０５）、第１のファクシミリ装置２０５1からの接続を第Ｍのファクシミリ装置２０５Mに転送する（ステップＳ４０６）。この場合、第１のＳＩＰアダプタ装置２０４1は第１のファクシミリ装置２０５1から送信されてくる相手先の電話番号およびＩＰアドレスを取得する（ステップＳ４０７）。そして、これらが記憶部２２９1に登録されている相手先の電話番号２３１1とＩＰアドレス２３２1と同一であるかを比較により判別する（ステップＳ４０８）。
【００９０】
この結果、これらが同一であると判別した場合（Ｙ）、第１のＳＩＰアダプタ装置２０４1は第１のファクシミリ装置２０５1から送られてきたファクシミリデータ（画データ）をそのまま受信側の第ＭのＳＩＰアダプタ装置２０４Mに転送する（ステップＳ４０９）。これは、図７のステップＳ３６５の処理に相当する。したがって、この後、第ＭのＳＩＰアダプタ装置２０４Mはこのファクシミリデータ（画データ）を第Ｍのファクシミリ装置２０５Mに送信することになる。
【００９１】
以上のようにして第１のファクシミリ装置２０５1から第Ｍのファクシミリ装置２０５Mに対する画データの送信が終了すると、第１のＳＩＰアダプタ装置２０４1は、第ＭのＳＩＰアダプタ装置２０４Mに対する通信を終了して（ステップＳ４１０）、第ＭのＳＩＰアダプタ装置２０４Mとの接続を切断する（ステップＳ４１１）。そして、１件分のファクシミリ通信が終了したので、記憶部２２９1に登録していた第Ｍのファクシミリ装置２０５Mに関する電話番号２３１1と第１のファクシミリ装置２０５1のＩＰアドレス２３２1を削除する（ステップＳ４１２）。この後、第１のＳＩＰアダプタ装置２０４1は、再びステップＳ４０１の処理に戻る（リターン）。この部分の説明は、図７で行った。
【００９２】
一方、第１のファクシミリ装置２０５1から送信されてきた電話番号およびＩＰアドレスが記憶部２２９1における電話番号２３１1およびＩＰアドレス２３２1と同一でない場合には（ステップＳ４０８：Ｎ）、これら新しい情報で記憶部２２９1の内容を更新する（ステップＳ４１３）。これは、第１回目の接続を行った文書に対する通信が何らかの事情で中止され、新たな文書に対する第１回目の接続が行われたものと解されるからである。したがって、この後、ステップＳ４０４の処理と同様に、第１のＳＩＰアダプタ装置２０４1は、第１のファクシミリ装置２０５1との接続を切断する（ステップＳ４１４）。そして、第ＭのＳＩＰアダプタ装置２０４Mとの接続を切断して（ステップＳ４１５）、再びステップＳ４０１の処理に戻ることになる（リターン）。
【００９３】
第１のＳＩＰアダプタ装置２０４1が以上のような処理を行うことで、第ＭのＳＩＰアダプタ装置２０４Mの処理と協同して、第１のファクシミリ装置２０５1から第Ｍのファクシミリ装置２０５Mに対するファクシミリ通信が可能になる。第ＭのＳＩＰアダプタ装置２０４Mの処理については、説明を省略する。
【００９４】
以上、詳細に説明したように、本実施の形態によれば、このＳＩＰアダプタ装置２０４を、ファクシミリ装置２０５と通信可能なＬＡＮ上に接続することで、ＳＩＰプロトコルを利用したファクシミリ通信を実現することができる。しかも、このファクシミリ通信では既存のファクシミリ装置２０５を送信側および受信側に使用することができる。したがって、特別のハードウェアおよびソフトウェアを備えたファクシミリ装置を新たに購入する必要がなく、インターネットを利用したファクシミリ通信を実現することができるので、経済的な通信システムを構築することが可能になる。
【００９５】
以上説明した実施の形態では、１台のファクシミリ装置２０５に対して１台のＳＩＰアダプタ装置２０４を用意したが、１つのＬＡＮに複数のファクシミリ装置２０５を接続している場合、ＳＩＰアダプタ装置２０４がこれらに兼用されてもよい。あくまでもＳＩＰサーバ２０２を仲介として送信側と受信側のＳＩＰアダプタ装置２０４が別々に設けられていればよい。
【００９６】
なお、実施の形態ではＳＭＴＰプロトコルを用いたデータ送信について説明したが、本発明はこれに限定されるものではない。たとえば、ＰＯＰ（Post Office Protocol）プロトコルを使用して、データの受信を行うことも可能である。
【符号の説明】
【００９７】
１０、２２  ファクシミリ通信仲介装置
１１、２２ａ  接続要求受信手段
１２、２２ｂ  接続要求受信時データ取得手段
１３、２２ｃ  受信データ記憶手段
１４、２２ｄ  再接続有無判別手段
１５、２２ｅ  初回接続切断手段
１６、２２ｆ  受信可否判別手段
１７、２２ｇ  通信処理継続通知手段
２０、２００  ファクシミリ通信システム
２１  送信側のファクシミリ装置
２３  受信側のファクシミリ装置
３０  ファクシミリ通信仲介方法
３１  接続要求受信ステップ
３２  接続要求受信時データ取得ステップ
３３  受信データ記憶ステップ
３４  再接続有無判別ステップ
３５  初回接続切断ステップ
３６  受信可否判別ステップ
３７  通信処理継続通知ステップ
４０  ファクシミリ通信仲介プログラム
３１  接続要求受信処理
３２  接続要求受信時データ取得処理
３３  受信データ記憶処理
３４  再接続有無判別処理
３５  初回接続切断処理
３６  受信可否判別処理
３７  通信処理継続通知処理
２０１  ＬＡＮ
２０２  ＳＩＰサーバ
２０３  ファクシミリ通信ユニット
２０４  ＳＩＰアダプタ装置
２０５  ファクシミリ装置
２２１  ＣＰＵ
２２２  メモリ
２２３  主制御部
２２６  ＬＡＮ制御部
２２７  解析部
２２８  変換部
２２９  記憶部
２３１  （送信側の記憶部における送信側の）電話番号
２３２  （送信側の記憶部における送信側の）ＩＰアドレス
２３３  （送信側の記憶部における送信側の）ＳＩＰ−ＵＲＬ
２３４  （送信側の記憶部における受信側の）ＳＩＰ−ＵＲＬ
２４１  （受信側の記憶部における受信側のＩＰアドレス
２４２  メールアドレス
２４３  （受信側の記憶部における受信側の）電話番号
２４４  （受信側の記憶部における送信側の）電話番号
【図１】
2010268303.tif 000003
【図２】
2010268303.tif 000004
【図３】
2010268303.tif 000005
【図４】
2010268303.tif 000006
【図５】
2010268303.tif 000007
【図６】
2010268303.tif 000008
【図７】
2010268303.tif 000009
【図８】
2010268303.tif 000010
【図９】
2010268303.tif 000011